(57)【要約】【課題】被検者の体格に応じてＸ線照射範囲を選択するようにしたＸ線撮影装置を提供する。【解決手段】Ｘ線管装置１２から照射されるＸ線の照射範囲は被検者の体格に応じて選択される。身長計１６で被検者の身長を測定する。体重計１７で被検者の体重を測定する。身長と体重により体格を推定し、体格の小さい被検者は３５ｃｍ×３５ｃｍの大角サイズで撮影する。体格の大きい被検者は４５ｃｍ×４５ｃｍの大角サイズで撮影する。【選択図】図４
2005034171.tif 000002
【特許請求の範囲】
【請求項１】
Ｘ線を照射するＸ線管装置と、
Ｘ線管装置から被検者に照射されるＸ線を受像する受像手段と、
前記Ｘ線管装置から前記受像手段に照射するＸ線照射範囲を制御する照射範囲制御手段と、
前記被検者の体格に相関する情報に基づいて前記Ｘ線照射範囲を選択する選択手段とを備えることを特徴とするＸ線撮影装置。
【請求項２】
請求項１記載のＸ線撮影装置において、
前記Ｘ線を照射可能な状態で被検者の体格を示す物理量を測定する測定手段をさらに備え、
前記選択手段は、前記測定手段で測定された物理量に基づいて前記Ｘ線照射範囲を選択することを特徴とするＸ線撮影装置。
【請求項３】
請求項１に記載のＸ線撮影装置において、
事前に測定した被検体の体格を示す物理量を記憶する記憶手段と、
被検者を特定する情報を入力する入力手段とをさらに有し、
前記選択手段は前記入力手段で入力した情報により被検者を特定し、特定した被検者の体格を示す物理量を前記記憶手段から読み出すことを特徴とするＸ線撮影装置。
【請求項４】
請求項１記載のＸ線撮影装置において、
前記受像手段の高さ位置は被検者の身長に応じて調整され、
前記選択手段は、前記受像手段の高さ位置に応じて推定した体格により前記Ｘ線照射範囲を選択することを特徴とするＸ線撮影装置。
【発明の詳細な説明】
【０００１】
【発明の属する技術分野】
本発明は、被検者の体格に応じてＸ線照射範囲を選択するようにしたＸ線撮影装置に関する。
【０００２】
【背景技術】
ＣＲ（Ｃｏｍｐｕｔｅｄ  Ｒａｄｉｏｇｒａｐｈｙ）撮影装置やＤＲ（Ｄｉｇｉｔａｌ  Ｒａｄｉｏｇｒａｐｈｙ）撮影装置で撮像するＸ線画像のサイズは、増感紙−フィルム系を用いたカセッテサイズと同一のサイズを用いている。カセッテサイズとして、４３ｃｍ×３５ｃｍの半切サイズと、３５ｃｍ×３５ｃｍの大角サイズがある（特許文献１）。
【０００３】
ＣＲ撮影装置やＤＲ撮影装置では、縦置き半切サイズと横置き半切サイズが選択できるように、その最大照射範囲（最大有効画角）は４３ｃｍ×４３ｃｍに設定されている。
【０００４】
画像サイズは被検者の体格が小さければ小さいサイズで十分である。ところが、従来のＣＲ撮影装置やＤＲ撮影装置ではＸ線照射範囲の切換え操作が面倒で、常時、半切サイズでＸ線撮影を行っている。そのため、体格の小さい被検者は不要な被曝を受けることになる。
【０００５】
【特許文献１】特開平７−１６８２９０号公報
【０００６】
本発明は、被検者の体格に応じてＸ線照射範囲を選択するようにしたＸ線撮影装置を提供するものである。
【０００７】
【課題を解決するための手段】
（１）本発明によるＸ線撮影装置は、Ｘ線を照射するＸ線管装置と、Ｘ線管装置から被検者に照射されるＸ線を受像する受像手段と、Ｘ線管装置から受像手段に照射するＸ線照射範囲を制御する照射範囲制御手段と、被検者の体格に相関する情報に基づいてＸ線照射範囲を選択する選択手段とを備えることを特徴とする。
（２）Ｘ線を照射可能な状態で被検者の体格を示す物理量、たとえば身長と体重を測定する測定手段をさらに備え、測定手段で測定された物理量に基づいてＸ線照射範囲を選択することができる。
（３）事前に測定した被検体の体格を示す物理量を記憶する記憶手段と、被検者を特定する情報を入力する入力手段とをさらに有し、入力手段で入力した情報により被検者を特定し、特定した被検者の体格を示す物理量を記憶手段から読み出すこともできる。
（４）被検者の身長に応じて受像手段の高さ位置を調整する機構が付設されている場合、選択手段は、受像手段の高さ位置に応じて推定した体格によりＸ線照射範囲を選択することができる。
【０００８】
【発明の実施の形態】
以下、図面を参照して本発明の実施の形態について説明する。図１は本発明の実施の形態に係るＸ線撮影装置の構成図である。
【０００９】
図１に示すように、本実施の形態に係るＸ線撮影装置１０は、Ｘ線管保持装置１１と、Ｘ線管保持装置１１に昇降可能に保持されるＸ線管装置１２と、Ｘ線管装置１２から照射されるＸ線の照射範囲を設定する可動絞り１３と、Ｘ線管装置１２から照射されるＸ線による被検者の胸部像を撮像するＸ線撮像部１４と、Ｘ線撮像部１４を昇降可能に保持する胸部撮影スタンド１５と、胸部撮影スタンド１５に設置され被検者の身長を計測する身長計１６と、胸部撮影スタンド１５の基部に設置され被検者の体重を計測する体重計１７と、Ｘ線撮影装置１０の各種制御を司るＸ線制御装置１８とを備える。
【００１０】
Ｘ線撮像部１４は、Ｘ線像を電子的に記録する記録媒体、たとえばフラットパネルディスクなどを有する。身長計１６は被検者の身長を電子的に測定し、その身長信号をＸ線制御装置１８へ送信する。体重計１７は被検者の体重を電子的に測定し、その体重信号をＸ線制御装置１８へ送信する。
【００１１】
Ｘ線制御装置１８は、ＣＰＵ、ＲＯＭ、ＲＡＭなどで構成され、身長計１６からの身長信号と体重計１７からの体重信号を受信し、身長と体重から被検者の体格を推定する。Ｘ線制御装置１８は、推定した体格に基づいてＸ線照射範囲を決定し、決定されたＸ線照射範囲となるように可動絞り１３のリーフ１３Ａを駆動する。
【００１２】
胸部撮影では、被検者の頸部から肺底部間にＸ線を照射してＸ線画像を取得する。被検者の頸部−肺底部間長さは被検者の身長に対して図２に示すような傾向を示す。また、被検者の頸部−肺底部間長さは被検者の体重に対して図３に示すような傾向を示す。
【００１３】
図２および図３のグラフから、被検者男性１００名のうち、７８名（７８％）は頸部（画像最上部）−肺底部間長さが３５ｃｍ以下であり、被検者の２２名（２２％）は３５ｃｍ以上に分布していることが分かる。身長に関しては、１６２ｃｍ以下の被検者は頸部（画像最上部）−肺底部間長さが３５ｃｍ以下であり、１８０ｃｍ以上の被検者は頸部（画像最上部）−肺底部間長さが３５ｃｍ以上に分布していることが分かる。また、１６３ｃｍ〜１７８ｃｍの被検者に対しては、図３のデータから体重６０ｋｇ以上では３５ｃｍ以下となることが分かる。
【００１４】
したがって、この実施の形態では、図２と図３のグラフから、身長が１６２ｃｍ以下であれば、３５ｃｍ×３５ｃｍの画像サイズを選択し、１８０ｃｍ以上であれば、４３ｃｍ×４３ｃｍの画像サイズを選択する。また、１６２ｃｍ＜身長＜１８０ｃｍであれば、被検者の体重が６０ｋｇ以上なら３５ｃｍ×３５ｃｍの画像サイズを選択し、被検者の体重が６０ｋｇ未満なら４３ｃｍ×４３ｃｍの画像サイズを選択する。
【００１５】
図４はＸ線制御装置１８で実行されるプログラムの処理手順例を示すフローチャートである。ステップＳ１で身長計１６からの信号を受信する。ステップＳ２において、受信した身長が１６２ｃｍ以下か判定する。身長が１６２ｃｍを越えていると判定されると、ステップＳ３に進む。ステップＳ３では、身長が１８０ｃｍ以上か判定する。身長が１８０ｃｍ未満であれば、ステップＳ４において、体重計１７からの信号を受信する。ステップＳ５において、受信した体重が６０ｋｇ以上か判定する。６０ｋｇ未満であればステップＳ６に進み、Ｘ線画像サイズとして４３ｃｍを選択し、可動絞り１３を制御する。ステップＳ２で身長が１６２ｃｍ以下と判定される場合、およびステップＳ５で体重が６０ｋｇ以上と判定されるとステップＳ７に進み、Ｘ線画像サイズとして３５ｃｍを選択し、可動絞り１３を制御する。また、ステップＳ３で１８０ｃｍ以上と判定されると、ステップＳ６で４３ｃｍを選択し、可動絞り１３を制御する。
【００１６】
このように、上記実施の形態によるＸ線撮影装置では、胸部撮影スタンド１５に身長計１６と体重計１７を内蔵し、胸部撮影時に被検者の身長と体重を計測して体格を推定し、推定した体格に基づいて、半切サイズ、または大角サイズのＸ線画像が得られるようにＸ線照射範囲を可動絞り１３で調整するようにした。したがって、手動で可動絞り１３を操作することなく、被検者の体格に適したＸ線照射範囲でＸ線撮影が可能となり、不要な被曝を受けることがない。
【００１７】
また、被検者の体格に適したＸ線照射範囲でＸ線撮影することにより、たとえば、腹部に入射したＸ線の散乱Ｘ線が胸部に入り込んでコントラストの低下をきたすことが抑制されるので、診断の低下を招くことも防止できる。
【００１８】
以上の実施の形態はあくまでも一例であり、次のように変形することも可能である。
（１）胸部撮影スタンド１５に身長計１６と体重計１７を内蔵せず、放射線情報管理システム（ＲＩＳ）内に被検者の身長と体重のデータを登録するようにしてもよい。この場合、Ｘ線撮影時に被検者を特定する情報をＸ線制御装置１８からＲＩＳに通信し、その被検者の身長と体重のデータを読み取ってＸ線制御装置１８に入力し、被検者の体格を推定する。
【００１９】
（２）身長計１７を省略し、Ｘ線撮像部１４の高さ位置を計測して身長のデータに代えても良い。
（３）身長データと体重データをキーボードによりＸ線制御装置１８に入力し、入力されたデータから体格を推定してもよい。なお、キーボード入力に代えて、被検者の身長と体重のデータを記録したＩＤカードなどを用いてデータを入力してもよい。
【００２０】
（４）ＤＲ撮影装置で用いられるＤＲサーバには被検者のＸ線撮影履歴が格納されているので、ＤＲサーバに被検者の前回のＸ線照射範囲、すなわち可動絞り１３の制御データを記録しておく。そして、被検者名をＸ線制御装置１８に入力してＤＲサーバから可動絞り１３の制御データを読み出すようにしても良い。
（５）男性、女性を区別して、Ｘ線制御装置１８における体格推定方式を選択することが好ましい。この場合、女性に対して図２および図３と同等のデータを採取して体格推定式を定めればよい。
【００２１】
（６）身長、体重、さらに、身長と体重から算出した体表面積の３つを変量とした多変量解析（Ｘ線照射サイズ用の判別分析式）を適用して、適正なＸ線照射サイズを決定してもよい。たとえば、以下に示す統計的距離（マハラノビス距離）に基づく判別法によりＸ線照射サイズを決定する。
【００２２】
【数１】
2005034171.tif 000003
ここで、ｘは上記３つの特徴量を表す３次の変量ベクトル、μ１はクラスω１の３次の標本平均ベクトル、μ２はクラスω２の３次の標本平均ベクトルである。なお、クラスω１が既知のＸ線照射野大角サイズ、クラスω２が既知のＸ線照射野半切サイズである。また、Σ１はクラスω１の標本共分散行列、Σ２はクラスω２の標本共分散行列であり、αは判別平面からのマージンを表す定数である。
【００２３】
（７）身長と体重から体格を推定したが、予め被検者の体格を決定し、その体格をＸ線制御装置１８に直接入力することにより、可動絞り１３によるＸ線照射範囲を調整しても良い。体格に代えて、画像のサイズを入力しても良い。たとえば、半切サイズとＸ線制御装置１８に入力すると、可動絞り１３が４３ｃｍ×４３ｃｍの画像サイズとなるようにＸ線照射範囲を設定するようにしても良い。
（８）Ｘ線画像サイズも上記の２通りに限定されず、たとえば４０ｃｍ×４０ｃｍを加えた３種類としてもよい。さらにきめ細かくサイズを分類しても良い。
（９）Ｘ線撮影装置は上記の構成に限定されることはない。たとえば、胸部側面撮影、胸部斜位撮影を行うことができるＸ線撮影装置にも本発明を適用できる。さらに、臥位テーブル式のＸ線撮影装置に本発明を適用しても良い。
【００２４】
以上の実施の形態では、受像手段をフラットパネルディスクなどの記録媒体により実現するようにしたが、Ｘ線像を可視化するその他の受像手段を用いることもできる。照射範囲制御手段は可動絞り１３のリーフ１３Ａで実現したが、その他の形式のものでもよい。選択手段はＸ線制御装置１８のプログラムにより実現しているが、たとえば、ＤＲサーバにプログラムを記憶してもよい。なお、身長計、体重計が測定手段である。
【００２５】
【発明の効果】
以上詳細に説明したように、本発明によれば、術者が画像サイズの切換えを意識することなく、被検者の体格に応じてＸ線照射範囲を適切に選択することができる。その結果、不要な被曝量が抑制され、画質が向上して診断能が向上する。
【図面の簡単な説明】
【図１】本発明の一実施の形態に係るＸ線撮影装置の全体構成図
【図２】身長に対する頸部−肺底部間長さを示すグラフ
【図３】体重に対する頸部−肺底部間長さを示すグラフ
【図４】制御処理の一例を示すフローチャート
【符号の説明】
１０：Ｘ線撮影装置                  １１：Ｘ線管装置保持装置
１２：Ｘ線管装置                    １３：可動絞り
１４：Ｘ線撮像部                    １５：胸部撮影スタンド
１６：身長計                        １７：体重計
１８：Ｘ線制御装置
【図１】
2005034171.tif 000004
【図２】
2005034171.tif 000005
【図３】
2005034171.tif 000006
【図４】
2005034171.tif 000007